(57)【要約】【課題】管部側の回動を補助しつつ各接点の摩耗を抑制した電気掃除機を提供する。【解決手段】吸込口部材と対向する掃除機本体の蓋体３の蓋体上板82の取付凹部86に、吸込口部材の蓋体３に対する回動を補助する複数の下側車輪124を設ける。吸込口部材に接続した管部側の回動を下側車輪124により補助しつつ、各スリップリングと各接点板122の接点部127，127との摩耗を抑制できる。【選択図】図１
2008289746.tif 000002
【特許請求の範囲】
【請求項１】
電動送風機を収容した掃除機本体と、
この掃除機本体に回動可能に設けられ、管部が接続可能で、かつ、この接続された管部に追従して前記掃除機本体に対して回動する吸込口部材と、
この吸込口部材の前記掃除機本体に対向する位置に設けられた吸込口部材側接点と、
前記掃除機本体の前記吸込口部材に対向する位置に設けられ、前記吸込口部材側接点と接触することでこの吸込口部材側と前記掃除機本体側とを電気的に接続する本体側接点と、
前記吸込口部材と前記掃除機本体との間に回転可能に設けられ、前記掃除機本体に対する前記吸込口部材の回動を補助する補助回転体と
を具備したことを特徴とした電気掃除機。
【請求項２】
掃除機本体は、管部の回動軸と交差する方向に沿って設けられた本体側座面部を備え、
吸込口部材は、前記管部の回動軸と交差する方向に沿って設けられた吸込口部材側座面部を備え、
本体側接点は、前記本体側座面部に設けられ、
吸込口部材側接点は、前記吸込口部材側座面部に設けられ、
補助回転体は、前記本体側座面部と前記吸込口部材側座面部とを支持するように設けられている
ことを特徴とした請求項１記載の電気掃除機。
【請求項３】
掃除機本体との間で吸込口部材を回動可能に挟持する保持部材と、
この保持部材と前記吸込口部材との間に回転可能に設けられ、前記掃除機本体に対する前記吸込口部材の回動を補助する回転体と
を具備したことを特徴とした請求項１または２記載の電気掃除機。
【発明の詳細な説明】
【技術分野】
【０００１】
本発明は、管部を回動可能に接続できる電気掃除機に関する。
【背景技術】
【０００２】
従来、この種の電気掃除機は、電動送風機を収容した掃除機本体を備えている。この掃除機本体には、電動送風機の吸込側に連通して集塵室が設けられ、この集塵室には、吸込用の本体吸込口が開口形成されている。この本体吸込口には、ホース体が回動可能に接続されるとともに、このホース体の先端側に、延長管および床ブラシが順次連通接続可能である。ホース体の基端部である本体吸込口との接続部には、接続管部が設けられ、ホース体の先端部である延長管との接続部には、作業者が把持する把持部を備えた手元操作部が設けられている。この手元操作部の把持部には、電動送風機の動作モードなどを設定するための複数の設定ボタンが設けられている。これら設定ボタンは、ホース体内に螺旋状に配置された配線を介して接続管部の端部に設けられた接点である環状の複数のスリップリングに電気的に接続されている。そして、掃除機本体の本体吸込口には、電動送風機を制御する制御手段などと電気的に接続された複数の接点が設けられ、これら接点がスリップリングと接触することで、ホース体側の回動に拘らずこのホース体側と掃除機本体側とが常時電気的に接続されるように構成されている（例えば、特許文献１参照。）。
【特許文献１】実開昭５８−１４５１５３号公報（第４−８頁、第３図）
【発明の開示】
【発明が解決しようとする課題】
【０００３】
しかしながら、上述の電気掃除機では、接点とスリップリングとを常時接触させているため、これら接点とスリップリングとの摺動摩擦により、ホース体側を円滑に回動させることが容易でないとともに、接点とスリップリングとが摩耗しやすいという問題点を有している。
【０００４】
本発明は、このような点に鑑みなされたもので、管部側の回動を補助しつつ各接点の摩耗を抑制した電気掃除機を提供することを目的とする。
【課題を解決するための手段】
【０００５】
本発明は、掃除機本体に回動可能に設けられ、管部が接続可能で、かつ、この接続された管部に追従して掃除機本体に対して回動する吸込口部材の掃除機本体に対向する位置に設けられた吸込口部材側接点と、掃除機本体の吸込口部材に対向する位置に設けられ、吸込口部材側接点と接触することでこの吸込口部材側と掃除機本体側とを電気的に接続する本体側接点と、吸込口部材と掃除機本体との間に回転可能に設けられ、掃除機本体に対する吸込口部材の回動を補助する補助回転体とを具備したものである。
【発明の効果】
【０００６】
本発明によれば、吸込口部材と掃除機本体との間に、掃除機本体に対する吸込口部材の回動を補助する補助回転体を回動可能に設けることで、吸込口部材に接続された管部側の回動を補助しつつ吸込口部材側接点と本体側接点との摩耗を抑制できる。
【発明を実施するための最良の形態】
【０００７】
以下、本発明の一実施の形態の電気掃除機の構成を図１ないし図６を参照して説明する。
【０００８】
図３ないし図６において、１は掃除機本体であり、この掃除機本体１は、いわゆるキャニスタ型の電気掃除機である。この掃除機本体１は、本体ケース２と、この本体ケース２の上部に開閉可能に設けられた蓋体３とを有している。
【０００９】
そして、本体ケース２は、前後方向に長手状に形成された下ケース５と、この下ケース５の上側に取り付けられた上ケース６とを備え、電動送風機７を収容する電動送風機室８が後部に形成され、主集塵部としての集塵ユニット９が着脱可能に載置される集塵室10が前部に形成され、これら電動送風機室８と集塵室10との間に、隔壁部14が配設されている。
【００１０】
下ケース５の後側の両側部には、それぞれ大径の従動輪16(一方のみ図示)が回転自在に軸支されている。また、下ケース５の集塵室10の下方の下面には、旋回輪17が旋回自在に軸支されている。この結果、掃除機本体１は、従動輪16と旋回輪17とにより、被掃除面としての床面上を走行可能となっている。
【００１１】
電動送風機室８には、電動送風機７が、吸込側を前側、排気側を後側として、前後方向に配設されている。また、この電動送風機室８の電動送風機７の上方には、電動送風機７などの駆動を制御する図示しない制御手段が収容されている。さらに、この電動送風機室８には、複数の排気孔18が穿設されている。
【００１２】
集塵ユニット９は、集塵部としての集塵袋である紙パック21と、この紙パック21を着脱可能に保持して集塵室10に着脱可能な集塵袋ホルダとしての紙パックホルダ22とを有している。
【００１３】
紙パック21は、開口としてのパック開口24が開口形成された口枠25と、この口枠25に取り付けられた袋体26とを備えている。
【００１４】
口枠25は、例えばボール紙などの厚紙により板状に形成されている。
【００１５】
袋体26は、通気性素材である濾材を例えば複数積層して袋状に形成したもので、未使用状態で折り畳まれ、使用状態で集塵室10内の紙パックホルダ22の下方へと拡がるように構成されている。
【００１６】
一方、紙パックホルダ22は、紙パック21の口枠25を保持するホルダ本体28と、このホルダ本体28の一主面側から突設されたハンドル29とを有し、集塵室10の上端縁部に取り付け可能となっている。
【００１７】
ホルダ本体28は、略板状に形成され、中央部に、紙パック21のパック開口24に連通する開口部31が開口形成されている。また、このホルダ本体28のハンドル29と反対側の主面には、口枠25を挿入して摺動すなわちスライドさせて取り付ける図示しない溝部が形成されている。
【００１８】
ハンドル29は、ホルダ本体28の開口部31の両側に回動可能にそれぞれ軸支された基部45，45と、これら基部45，45間を接続する接続部46とで構成され、この接続部46と基部45との接続位置に、上記溝部の一部を動作させて紙パック21をホルダ本体28から外すための操作部としてのボタン47が設けられている。そして、このハンドル29は、基部45の基端に図示しないねじりばねが取り付けられて接続部46側がホルダ本体28から離間される方向へと付勢され、ホルダ本体28に対して鋭角すなわち９０°未満の角度をなすように構成されている。
【００１９】
また、隔壁部14は、隔壁本体51と、この隔壁本体51に設けられた駆動機構52とを備えている。
【００２０】
隔壁本体51は、電動送風機室８と集塵室10との間を区画する壁状の部材で、電動送風機７の吸込側に接続されこの電動送風機７の吸込側と集塵室10とを連通させる連通筒部54が下側寄りの位置に穿設されている。また、隔壁本体51の上側寄りの位置には、電動送風機室８と蓋体３側とを連通する空気導入口である外気導入口55が穿設されている。さらに、これら連通筒部54と外気導入口55との上下方向の間の位置には、仕切壁部57が集塵室10側である前側へと略水平状に突設され、この仕切壁部57の下側が下側空間部58となっているとともに、仕切壁部57の上側が上側空間部59となっている。
【００２１】
仕切壁部57には、下側空間部58と上側空間部59とを連通する空間連通口61が開口形成されている。
【００２２】
下側空間部58には、紙パック21の下流側に対向するフィルタ63が配設されている。
【００２３】
上側空間部59には、蓋体３側の塵埃除去用の塵埃除去機構65が設けられている。この塵埃除去機構65は、駆動機構52により左右方向に沿って往復運動をするように構成されている。
【００２４】
駆動機構52は、外気導入口55と空間連通口61とのそれぞれの開閉を切り換えるもので、図示しない制御手段により回動されるモータ71と、このモータ71の回動により駆動されるギヤ部72と、このギヤ部72により駆動され外気導入口55を開閉する導入口開閉弁73と、空間連通口61を開閉する連通口開閉弁74とを有している。
【００２５】
モータ71は、電動送風機室８内に位置している。
【００２６】
ギヤ部72は、隔壁本体51の電動送風機室８側あるいは集塵室10側に回動可能に軸支された各種ギヤがそれぞれ歯合されたギヤ列であり、導入口開閉弁73と連通口開閉弁74とのそれぞれにクランク機構を介して接続され、これら開閉弁73，74を、互いに連動させて上下方向にそれぞれ動作させるように構成されている。
【００２７】
導入口開閉弁73は、外気導入口55の後側に位置している。
【００２８】
連通口開閉弁74は、横長の板状に形成され、仕切壁部57の基端側の上部に一長辺側が回動可能に軸支されている。
【００２９】
そして、蓋体３は、図１ないし図５に示すように、集塵室10の上側を開閉するもので、後部が上ケース６に上下方向に回動可能となるように軸支されている。この蓋体３は、下面を形成する蓋体下板81と、上面を形成する蓋体上板82と、蓋体下板81の内方に取り付けられた区画板83とを備え、蓋体下板81の略中央部に挿入筒部84が取り付けられている。また、蓋体上板82の前側には、前方上側に向けて傾斜状に取付凹部86が凹設され、この取付凹部86に、本体吸込口87を開口した環状の吸込口部材88が回動可能に取り付けられているとともに、この吸込口部材88の外周縁部を取付凹部86との間で挟持する保持部材としてのリング89が取り付けられている。
【００３０】
蓋体下板81には、塵埃分離部を形成する筒状の下板筒部91が前後方向の中心域に形成され、この下板筒部91の下端部が挿入筒部84の上部に気密に接続されている。また、この下板筒部91の後部には、通気開口92が穿設され、この通気開口92にメッシュフィルタ93が取り付けられている。さらに、蓋体下板81は、下板筒部91の後方に、上方へと傾斜した上方傾斜部94と、この上方傾斜部94の下方に離間されて位置する下方板部95とが形成され、これら上方傾斜部94と下方板部95との間に、通気開口92に連通する空間部96が形成され、この空間部96の後部に蓋体開口部97が開口され、かつ、この蓋体開口部97に、取付板98が取り付けられている。そして、取付板98には、下側に蓋体通気口101が開口形成されているとともに、この蓋体通気口101の上方に導入開口102が開口形成されている。そして、蓋体下板81の下縁部には、集塵室10と気密に接続するためのシール部材であるパッキン103が取り付けられている。
【００３１】
蓋体通気口101には、空間部96内に位置してフィルタとしての表面集塵フィルタであるプリーツフィルタ104が取り付けられている。このプリーツフィルタ104は、上流側から下流側へと凹設され上下方向に沿う図示しない溝部を複数有し、これら溝部が左右方向に順次形成されることで、いわゆるプリーツ形状をなしている。また、このプリーツフィルタ104は、上流面が下方に向くように上側が前方へと傾斜して配置されている。
【００３２】
導入開口102には、空間部96内に位置して導入開口開閉弁106が前後方向に回動可能に取り付けられている。この導入開口開閉弁106は、導入開口102の後方から前方へと通過する空気によってのみ開くように構成されている。そして、この導入開口102は、外気導入口55、導入口開閉弁73，106などとともに、所定条件時、例えば掃除を終了して電気掃除機の運転を停止するときに外気をプリーツフィルタ104の上流側面へと流してこのプリーツフィルタ104の上流側面に付着した塵埃を捕集するための空気導入機構である外気導入機構を構成している。なお、以下、外気とは、風路の外部に位置する空気をいい、必ずしも掃除機本体１の外部にある空気をいうものではない。
【００３３】
また、蓋体上板82の取付凹部86は、図１に示すように、円形状に形成され、外周縁部を構成する環状の外周座面部111と、この外周座面部111の内周縁部側に連続して下方へと突出する環状の傾斜面部112と、この傾斜面部112の内周縁部に連続する対向面部である本体側本体側座面部113とを有している。
【００３４】
外周座面部111は、この取付凹部86にリング89を取り付ける際の座面となる部分であり、段差状に形成されている。
【００３５】
傾斜面部112は、外周座面部111に対して、中心方向へと傾斜状に形成されている。
【００３６】
また、これら外周座面部111と傾斜面部112とには、リング89の一部を嵌合させる複数、例えば３つの長孔状の嵌合孔115が、互いに略等間隔に、周方向に沿って切り欠き形成されているとともに、これら嵌合孔115の間の位置に、リング89を蓋体上板82に固定するためのねじ孔である複数、例えば３つの固定孔116が、互いに略等間隔に形成されている。
【００３７】
本体側座面部113は、掃除機本体１側である蓋体３側と吸込口部材88側とが対向する円形状の板面部であり、蓋体３を閉じた状態で前方上側に面方向を向けるように形成されている。また、この本体側座面部113の中央部には、吸込口部材88の一部が挿入される丸孔状の挿入孔121が穿設されている。さらに、この本体側座面部113には、挿入孔121の周囲に、複数、例えば３つの本体側接点である接点板122を取り付けるための接点取付部123がそれぞれ凹設されている。また、この本体側座面部113には、複数、例えば３つの補助回転体としての下側車輪124がそれぞれ回転自在に取り付けられている。
【００３８】
各接点板122は、固定部材であるねじ125により固定される本体部である接点板本体126と、この接点板本体126から両側方向へと突出した接点部127，127とを有し、それぞれ配線128により掃除機本体１(図４)側の制御手段へと電気的に接続されている。そして、接点部127，127は、本体側座面部113の中心に対して互いに略等しい距離に位置し、かつ、本体側座面部113から前方へと突出して接点板本体126の厚み方向へと、傾斜状に突出している。
【００３９】
各配線128は、本体側座面部113に穿設された配線挿入口131に挿入されて蓋体３の後部へと配線されている。ここで、配線128の一部は、本体側座面部113に切り起こし形成された係止突部132に中間位置が係止されているとともに、全ての配線128は、配線挿入口131に設けられた係止体133により纏められている。
【００４０】
接点取付部123は、挿入孔121の周方向に互いに略等間隔、すなわち本体側座面部113の中心に対して略１２０°毎に形成されている。また、各接点取付部123は、１つが挿入孔121の近傍に形成され、他の２つが傾斜面部112の近傍に形成されている。そして、これら傾斜面部112の近傍に形成された接点取付部123の一方には、接点板122が接点部127，127を本体側座面部113の中心側に向けて取り付けられ、これら接点取付部123の他方には、接点板122が接点部127，127を本体側座面部113の外周側に向けて取り付けられている。この結果、各接点板122は、本体側座面部113の中心に対して径寸法が異なる円上に接点部127，127が位置するように配置されている。換言すれば、各接点板122は、本体側座面部113の中心に対して、径寸法が互いに異なる３つの円周上に各接点板122の接点部127，127が位置するように配置されている。
【００４１】
さらに、各接点取付部123は、それぞれ取り付けられる接点板122の接点部127，127の本体側座面部113からの突出量が互いに異なるように設定されている。具体的に、挿入孔121に最も近い接点板122の接点部127，127の本体側座面部113からの突出量が最も小さく、径方向外側に位置する接点板122の接点部127，127の本体側座面部113からの突出量が径方向内側に位置する接点板122の接点部127，127の本体側座面部113からの突出量よりも順次大きくなり、最も外周側に位置する接点板122の接点部127，127の本体側座面部113からの突出量が最も大きくなるように設定されている。
【００４２】
各下側車輪124は、吸込口部材88に接触してこの吸込口部材88の回動時の摩擦を低減するもので、例えばポリアセタール(ＰＯＭ)などの滑りやすい部材により形成され、本体側座面部113と傾斜面部112とに設けられた軸支部135，135間に回転軸124aが軸支されて回転自在となっており、本体側座面部113の中心に対して同一の円周上に沿って回転するように構成されている。また、これら下側車輪124の本体側座面部113と反対側である上端部は、各接点板122の接点部127，127の先端部と、本体側座面部113からの突出量が略等しい位置に設けられている。
【００４３】
さらに、本体吸込口87には、ホース体141の下流端部である接続管141aが挿入されて接続され、このホース体141の先端側には、筒状の手元操作部142が一体的に設けられ、この手元操作部142の先端部には、伸縮可能な延長管143と吸込口体としての床ブラシ144とが順次連通接続される。また、手元操作部142には、掃除の際に把持する把持部145が突設され、この把持部145には、電動送風機の駆動状態、あるいは床ブラシ144内に設けられた図示しない電動部の駆動状態などを設定するための設定ボタン146が複数設けられている。そして、これら床ブラシ144、延長管143およびホース体141により、電動送風機７の駆動で床面から塵埃を吸い込むための管部147が構成されている。
【００４４】
ホース体141の外皮部の内部には、図示しない配線が螺旋状に設けられ、手元操作部142および床ブラシ内の電動部に電気的に接続されている。また、ホース体141の接続管141aには、ホース体141内の配線と電気的に接続された図示しない端子が設けられ、これら端子が、接続管141aを本体吸込口87に接続した際にこの本体吸込口87に設けられた丸孔状の接続端子部149，149(図２)に挿入されて、この接続端子部149，149の内部で吸込口部材88側と電気的に接続されるように構成されている。
【００４５】
吸込口部材88は、図２ないし図４に示すように、本体吸込口87に接続された管部147の回動に追従して一体的に回動するように構成されているもので、本体吸込口87を備えた吸込口部材本体としての筒状の導入筒部151と、この導入筒部151に取り付けられた接点部材である円環状の接点板部152と、この接点板部152の内周縁部と導入筒部151の外周との間に設けられ導入筒部151と下板筒部91とを気密に接続するためのシール部材としてのパッキン153とを備え、導入筒部151と接点板部152とが複数のねじ154により固定されている。
【００４６】
導入筒部151は、本体吸込口87の周縁部に、リング89の中心孔から露出する露出部155が延設され、かつ、この露出部155の周縁部に、リング89の背面に位置してこのリング89と蓋体上板82との間に挟持されるフランジ部156がフランジ状に延設され、このフランジ部156から、回転体としての上側車輪157が複数、例えば３つ露出している。
【００４７】
各上側車輪157は、吸込口部材88に接触してこの吸込口部材88の回動時の摩擦を低減するもので、例えばポリアセタール(ＰＯＭ)などの滑りやすい部材により形成され、導入筒部151と接点板部152との間に図示しない回転軸が回転可能に軸支されており、本体吸込口87の周方向に互いに略等間隔に位置し、フランジ部156の接点板部152と反対側である上側に突出し、上端部がリング89に接触するように構成されている。
【００４８】
接点板部152は、外周側から中心側へと、本体側座面部113に向けて軸方向への突出量が大きくなるように段差状に形成され接点板122に対応する複数、例えば３つの段差面部161，162，163を備え、これら段差面部161，162，163のそれぞれに、吸込口部材側接点としてのスリップリング164が設けられている。
【００４９】
段差面部161，162，163は、各接点板122の接点部127，127に対応して互いに径寸法が異なる円周上に沿って形成された円環状の面部である。また、最も外側に位置する吸込口部材側座面部としての段差面部161には、各下側車輪124がスリップリング164の内周側の位置で接触するように構成されている。
【００５０】
ここで、段差面部161と掃除機本体１側の本体側座面部113とは、互いに管部147の回動軸Ｌと交差(直交)する方向に沿って面方向を有している。
【００５１】
また、スリップリング164は、手元操作部142および管部147側の電動部である床ブラシ144内の電動部などと掃除機本体１側とを接続するためのもので、導電性を有する金属などにより円環帯状に形成され、各接点板122の接点部127，127と接触して互いに電気的に接続されるように構成されている。また、これらスリップリング164は、導入筒部151と接点板部152との間に形成された図示しない導電部により、接続端子部149，149(図２)と電気的に接続されている。
【００５２】
リング89は、外面をなす環状の外枠部であるリング外枠部166とこのリング外枠部166と一体的に設けられた環状の内枠部であるリング内枠部167とを備え、このリング内枠部167に、蓋体上板82の嵌合孔115(図１)に対応する複数、例えば３つの嵌合凸部168(１つのみ図示)が突設されているとともに、これら嵌合凸部168の間のそれぞれの位置で、リング内枠部167がねじ169(１つのみ図示)により蓋体上板82に固定されている。
【００５３】
リング内枠部167は、リング89を蓋体上板82に固定した状態で、吸込口部材88の各上側車輪157が接触する部分である。
【００５４】
また、区画板83は、上板171と、この上板171に対して下方に離間された下板172とを有し、空間部96内に取り付けられ、上板171と下板172との間に第１風路としての上側風路173を区画しているとともに、下板172と蓋体下板81の下方板部95との間に第２風路としての下側風路174を区画している。さらに、区画板83には、後端部の左右方向略中央部に、上側風路173と連通しプリーツフィルタ104の上流側面である前側面に対向する第１風路開口としての角孔状の上側開口175が形成されているとともに、この上側開口175の下方に、下側風路174と連通しプリーツフィルタ104の上流側面である前側面に対向する角孔状の開口部としての第２風路開口である下側開口176が形成されている。
【００５５】
さらに、区画板83には、上板171の下部に、上側風路173を開閉する第１風路開閉弁としての上側風路開閉弁181が前後方向に回動可能に取り付けられているとともに、下板172の下部に、下側風路174を開閉する第２風路開閉弁としての下側風路開閉弁182が前後方向に回動可能に取り付けられている。
【００５６】
上側風路開閉弁181は、上側風路173を前方から後方へと通過する空気によってのみ開くように構成され、下側風路開閉弁182は、下側風路174を後方から前方へと通過する空気のよってのみ開くように構成されている。
【００５７】
次に、上記一実施の形態の作用を説明する。
【００５８】
掃除機本体１の蓋体３に吸込口部材88を組み付ける際には、まず、蓋体上板82の各接点取付部123に、それぞれ配線128を接続した接点板122をねじ125により固定するとともに、各下側車輪124の回転軸124aを軸支部135，135間に軸支した後、導入筒部151と接点板部152とを、各上側車輪157を挟持しつつパッキン153を取り付けてねじ154により固定した吸込口部材88を、接点板部152側を本体側座面部113側に対向させて導入筒部151を挿入孔121に挿入して取付凹部86に嵌着すると、各下側車輪124が接点板部152の段差面部161に当接するとともに、各接点板122の接点部127，127がそれぞれスリップリング164に接触して電気的に接続される。
【００５９】
この後、吸込口部材88に対してリング89を被せ、このリング89の各嵌合凸部168を蓋体上板82の各嵌合孔115に嵌合させた状態で周方向に摺動させることで、各嵌合凸部168を各嵌合孔115に対して抜け止めし、この状態で蓋体上板82の下側から各固定孔116にそれぞれねじ169を螺合して、リング89を蓋体上板82に固定することで、吸込口部材88が蓋体３に保持される。
【００６０】
そして、掃除を開始する際には、蓋体３を開き、紙パック21の口枠25を紙パックホルダ22のホルダ本体28の溝部間に挿入して紙パック21を紙パックホルダ22に取り付ける。
【００６１】
この後、紙パックホルダ22を集塵室10に装着し、蓋体３を閉じる。
【００６２】
このとき、蓋体３の蓋体下板81の下面が紙パックホルダ22のハンドル29を付勢に抗して下方へと押し下げ、このハンドル29がホルダ本体28に沿って略平行状態となるとともに、挿入筒部84が紙パック21のパック開口24内へと挿入され、かつ、プリーツフィルタ104の溝部の下流側面が塵埃除去機構65と嵌合し、さらに、外気導入口55と導入開口102とが気密に接続される。同時に、蓋体３の下部のパッキン103が集塵室10の周縁部に圧接されて集塵室10が気密な状態で閉塞される。
【００６３】
そして、作業者は、蓋体３の本体吸込口87にホース体141の接続管141aを挿入して接続するとともに、このホース体141の先端側に延長管143および床ブラシ144を順次連通接続する。
【００６４】
さらに、作業者は把持部145を把持し、設定ボタン146により電動送風機７の動作モードを設定して電気掃除機の運転を開始すると、電動送風機７を設定された動作モードで駆動させ、床ブラシ144を床面上で前後に走行させて床面上の塵埃を床ブラシ144の先端側から吸い込む。
【００６５】
なお、この吸込状態では、駆動機構52により導入口開閉弁73が閉じ、連通口開閉弁74が開いた状態となっている。
【００６６】
また、作業者が把持部145にて管部147を様々な方向に動かすと、この管部147の動作に追従して吸込口部材88が掃除機本体１に対して回動する。
【００６７】
このとき、各下側車輪124が吸込口部材88に接触してこの吸込口部材88を支持するとともに、各上側車輪157がリング89のリング内枠部167に接触することで、吸込口部材88の周方向への回動が補助されるとともに、吸込口部材88が蓋体上板82側へと押し込まれる方向に力を受けた際に、この力を受けて接点板122の接点部127，127とスリップリング164との接触部分に、接点部127，127を押し込む方向への力が加わらないように吸込口部材88を支持する。
【００６８】
そして、電動送風機７の駆動による負圧の作用によって、床ブラシ144の先端側から吸い込んだ空気は、延長管143およびホース体141を経て本体吸込口87へと吸い込まれ、下板筒部91にて紙パック21側と上側風路173を経由するプリーツフィルタ104側とに分岐され、これら分岐された空気が、空間連通口61にて合流した後、連通筒部54から電動送風機７へと吸い込まれ、かつ、電動送風機７を通過して排気風となり、排気孔18から排気される。
【００６９】
詳細には、この空気に含まれる塵埃のうち、粗塵は、慣性により下板筒部91を直進し、挿入筒部84を介して紙パック21へと捕集され、この紙パック21を通過した空気に含まれる細塵はフィルタ63に捕集され、これら塵埃を捕集された空気が下側空間部58から連通筒部54を介して電動送風機７に吸い込まれる。一方、この空気に含まれる塵埃のうち、細塵は、下板筒部91にて通気開口92側へと分岐され、メッシュフィルタ93に捕集されるとともに、このメッシュフィルタ93を通過した微細塵は、上側風路173および上側開口175から空間部96へと流入してプリーツフィルタ104により捕集され、これら塵埃を捕集された空気が上側空間部59から空間連通口61を介して下側空間部58へと流入して、連通筒部54から電動送風機７へと吸い込まれる。
【００７０】
そして、掃除を終了する際には、作業者が設定ボタン146により電動送風機７の動作モードを停止させると、制御手段がモータ71を介して駆動機構52を動作させて、塵埃除去機構65を駆動させてプリーツフィルタ104を左右に弾くとともに、導入口開閉弁73を開き、連通口開閉弁74を閉じる。
【００７１】
このため、プリーツフィルタ104にて捕集した微細塵が塵埃除去機構65の動作により蓋体下板81上に落下し、電動送風機室８内の空気が、外気導入口55から導入開口102を経て空間部96へと流入し、プリーツフィルタ104の各溝部の上流側面を上側から下側へと通過した後、下側風路174、挿入筒部84、紙パック21、下側空間部58および連通筒部54を通過して電動送風機７に吸い込まれることで、プリーツフィルタ104に捕集した微細塵およびプリーツフィルタ104から塵埃除去機構65により除去した塵埃が紙パック21内に捕集される。
【００７２】
そして、制御手段は、所定時間が経過した後、電動送風機７を停止させる。
【００７３】
このように、吸込口部材88と対向する蓋体３の蓋体上板82に、掃除機本体１(蓋体３)に対する吸込口部材88の回動を補助する複数の下側車輪124を設けることで、これら下側車輪124により吸込口部材88に接続された管部147側の回動を補助しつつ、各スリップリング164と各接点板122の接点部127，127との摩耗を抑制できる。
【００７４】
また、吸込口部材88と蓋体上板82との間に潤滑剤(グリス)を塗布する必要がなく、掃除機全体で使用するグリスの量を低減でき、グリスを塗布する工程を別途必要とせず、製造性も向上するとともに、各スリップリング164と各接点板122の接点部127，127との摩耗による導通不良が生じにくくなり、製品の信頼性を向上できる。
【００７５】
さらに、管部147の回動軸Ｌに直交する方向に沿ってそれぞれ設けられた本体側座面部113と段差面部161とを下側車輪124が支持することで、例えば管部147の操作により吸込口部材88の上側あるいは下側が蓋体３側へと押し込まれる方向などに力が加わった場合などでも、この力を各下側車輪124により受けることにより、この力によって接点部127，127が変形することなどをも防止できる。
【００７６】
そして、掃除機本体１の蓋体３との間に、掃除機本体１(蓋体３)に対する吸込口部材88の回動を補助する複数の上側車輪157を設けることで、例えば管部147の操作により吸込口部材88の上側あるいは下側が蓋体３側へと押し込まれる方向などに力が加わった場合などでも、リング89により吸込口部材88を掃除機本体１側に確実に保持しつつ、吸込口部材88の回動を、より軽くできる。
【００７７】
また、各下側車輪124および各上側車輪157をそれぞれ周方向に略均等に設けることで、管部147の操作により吸込口部材88に対していずれの方向に力が加わっても各車輪124，157によって略均等に受けることができ、所定の方向に対して吸込口部材88の回動が重くなったり、スリップリング164と接点板122とが摩耗しやすくなったりすることがない。
【００７８】
なお、上記一実施の形態において、補助回転体は、吸込口部材88と蓋体上板82との間に位置して吸込口部材88と蓋体上板82との少なくともいずれかに接触するものであれば、吸込口部材88に設けたり、吸込口部材88と蓋体上板82との双方に設けたり、これら吸込口部材88と蓋体上板82との間の位置に設けたりする構成でもよい。
【００７９】
同様に、回転体は、吸込口部材88とリング89との間に位置して吸込口部材88とリング89との少なくともいずれかに接触するものであれば、リング89に設けたり、吸込口部材88とリング89との双方に設けたり、これら吸込口部材88とリング89との間の位置に設けたりする構成でもよい。
【００８０】
また、リング89を設けない場合には、吸込口部材88に各上側車輪157を設ける必要がなく、構成を簡略化できる。
【００８１】
さらに、各回転体としては、車輪以外でも、例えば球体などを用いてもよい。
【００８２】
そして、電気掃除機の細部は、上記構成に限定されるものではなく、電気掃除機としては、キャニスタ型に限らず、例えば自律走行式(ロボット式)の電気掃除機、あるいはハンディ型などでも対応させて用いることができる。
【図面の簡単な説明】
【００８３】
【図１】本発明の一実施の形態の電気掃除機の掃除機本体の要部を示す斜視図である。
【図２】同上掃除機本体の要部の保持部材を取り外した状態を示す斜視図である。
【図３】同上掃除機本体の蓋体の一部を側面から示す縦断面図である。
【図４】同上電気掃除機を側面から示す縦断面図である。
【図５】同上蓋体を開いた状態を示す斜視図である。
【図６】同上電気掃除機を示す斜視図である。
【符号の説明】
【００８４】
１    掃除機本体
７    電動送風機
88    吸込口部材
89    保持部材としてのリング
113   本体側座面部
122   本体側接点である接点板
124   補助回転体としての下側車輪
147   管部
157   回転体としての上側車輪
161   吸込口部材側座面部としての段差面部
164   吸込口部材側接点としてのスリップリング
Ｌ    回動軸
【図１】
2008289746.tif 000003
【図２】
2008289746.tif 000004
【図３】
2008289746.tif 000005
【図４】
2008289746.tif 000006
【図５】
2008289746.tif 000007
【図６】
2008289746.tif 000008